(57)【特許請求の範囲】
【請求項１】
剛性冷媒外筒の内部に、複数の剛性溶液外筒を互いに平行に配置した溶液移送冷却装置において、
前記剛性溶液外筒の内部に、常温常圧で前記剛性溶液外筒の内径より小さい外径を有し、移送される溶液の温度上昇及び圧力増加の少なくとも一方によって膨張して前記剛性溶液外筒の内面に接し、前記溶液の冷却または圧力低下によって、前記剛性溶液外筒の内周面と薄肉内筒の間に空間ができるように縮径する前記薄肉内筒を配置したことを特徴とする溶液移送冷却装置。
【請求項２】
前記薄肉内筒が、ＳＵＳ３００系ステンレス鋼によって製造されていることを特徴とする請求項１に記載の溶液移送冷却装置。
【請求項３】
前記薄肉内筒が、アルミニュウム合金によって製造されていることを特徴とする請求項１に記載の溶液移送冷却装置。
【請求項４】
前記薄肉内筒が、銅合金によって製造されていることを特徴とする請求項１に記載の溶液移送冷却装置。
【請求項５】
前記溶液が、溶剤と重合生成物の混合溶液であることを特徴とする請求項１に記載の溶液移送冷却装置。
【請求項６】
重合反応装置と、該重合反応装置の重合生成物出口部に連結された冷却流路部（熱交換器）を有する重合体製造装置であって、
前記冷却流路部は、剛性冷媒外筒の内部に、複数の剛性溶液外筒を互いに平行に配置し、前記剛性溶液外筒の内部に、常温常圧で前記剛性溶液外筒の内径より小さい外径を有し、移送される溶液の温度上昇及び圧力増加の少なくとも一方によって膨張して前記剛性溶液外筒の内面に接し、前記溶液の冷却または圧力低下により、前記剛性溶液外筒の内周面と薄肉内筒の間に空間ができるように縮径する前記薄肉内筒を配置したことを特徴とする重合体製造装置。
【請求項７】
前記薄肉内筒が、ＳＵＳ３００系ステンレス鋼によって製造されていることを特徴とする請求項６に記載の重合体製造装置。
【請求項８】
前記薄肉内筒が、アルミニュウム合金によって製造されていることを特徴とする請求項６に記載の重合体製造装置。
【請求項９】
前記薄肉内筒が、銅合金によって製造されていることを特徴とする請求項６に記載の重合体製造装置。
【請求項１０】
前記薄肉内筒が，その端部を前記剛性溶液外筒にかしめられていることを特徴とする請求項６に記載の重合体製造装置。
【請求項１１】
前記溶液が、溶剤と重合生成物の混合溶液であることを特徴とする請求項６に記載の重合体製造装置。
【発明の詳細な説明】
【技術分野】
【０００１】
本発明は、溶液移送冷却装置に関する。
さらに詳しくは、ポリエチレン、ポリプロピレン等の重合体製品を製造する際、例えばノルマルヘキサン等の溶媒の中で触媒とエチレンとを反応させてポリエチレンをつくる重合体反応器の内壁への重合体の付着や、重合体反応器からペレット化等の後処理装置に溶剤と重合生成物混合溶液を冷却しながら移送するための移送手段の内壁への重合体の析出付着、いわゆる重合体ファウリングが発生する。本発明は、この重合体ファウリング等を容易且つ効率的に除去することができる溶液移送冷却装置に関する。
【背景技術】
【０００２】
ポリエチレン等の重合では、重合体反応器内での重合反応によって反応熱が発生する。この反応熱を効率的に除去すなわち冷却しないと、運転条件のコントロールができず、重合反応物の物性が著しく変化し、重合体反応器の運転停止を余儀なくされる場合もある。
一方、反応熱を除去するために、重合体反応器の内壁及び重合体反応器からペレット化等の後処理装置に冷却しながら移送するための移送手段に、シェルアンドチューブ熱交換器を設定する場合がある。この場合、冷却剤と溶媒中に含まれる重合体とを離隔する金属管内壁に重合体ファウリングが形成される。この重合体ファウリングは、熱伝導率が金属管に比し約二桁低いことから、重合体ファウリングが、前記反応熱の除去の除去すなわち冷却を著しく低下させる。同時に、実質的管径が細くなることにより、輸送ポンプの負荷が増加し、輸送ポンプの損傷や流量低減の弊害が発生する。
【０００３】
この重合体ファウリングの発生増大を防止するために、
（１）反応器内及び移送管内の流速を上げること
（２）反応器内及び移送管内表面の凹凸をできるだけ小さくすること
（３）重合体ファウリングの起点が触媒及び重合体粒子の静電付着であるという説に基づく静電除去剤を添加すること
（４）エチレンフィードノズルの構造を改良すること
（５）フランジのギャップ等にポリマーが対流しないような構造を改良すること
が提案されている（例えば、非特許文献１参照）。
【０００４】
従来技術の重合体ファウリング防止方法として、特定の一般式で表される数平均分子量が、３００００以下のポリオキシレン系重合体を含むファウリング防止剤を、重合装置内又は後行程の溶剤重合物溶液内成分に添加することが提案されている（例えば、特許文献１参照）。
【０００５】
他の従来技術の重合体ファウリング防止方法、すなわち重合反応器への触媒スラリー供給系の閉塞を防止し、連続運転を可能とするオレフィン重合方法として、オレフィン重合方法であって、固体に担持した予備重合触媒を含む触媒スラリーを、オレフィンの本重合を行う気相反応器に供給するに際して、該予備重合触媒１ｇに対して、０．３〜３．０ｍｇの有機アルミニウム化合物を同伴させることが提案されている（例えば、特許文献２参照）。
【０００６】
他の従来技術の重合体ファウリング防止方法として、高温のプロセスストリームに曝される金属チューブ熱交換装置に腐蝕および腐蝕に誘導されるファウリングに対する抵抗性を賦与するために、内側表面および外側表面を有するプロセスストリームを加熱又は冷却するための伝熱装置１０であって、前記伝熱装置１０は、Ｘ、ＹおよびＺを含むスチール合金で形成されるチューブであり、前記チューブは、４０マイクロインチ（１．１μｍ）未満の算術平均表面粗さを有するスチール合金からなる基材層、内側表面および外側表面の少なくとも一方の上に形成された１０〜４０重量％のクロムを含有するクロム富化酸化物層、硫化物、酸化物、酸硫化物またはそれらの混合物を含む前記クロム富化酸化物層、の３層を含む伝熱装置１０等の表面上に形成された表面保護層を設けることが提案されている（例えば、特許文献３参照）。
【０００７】
上述した技術によっても重合体ファウリングの発生は、産業上の要求を満たす程度に有効に防止も減少もさせることができないため、さらに他の方法、技術が提案されている。すなわち、金属配管の内壁に、薬液又は所要のガスにより除去され得る薄膜を被着形成することが提案されている（例えば、特許文献４参照）。
【０００８】
他の重合体ファウリング発生防止技術として、内壁に樹脂皮膜を形成させた容器を用いて化学的操作又は物理的操作を行い、該操作の工程中に容器内壁に生成したスケールを前記樹脂皮膜と共に除去するスケール除去方法が提案されている（例えば、特許文献５参照）。
【０００９】
さらに他の重合体ファウリング発生防止技術として、液体又はペースト状の流動物を送液する配管内に配設するチューブにおいて、チューブを配管内に貫通して載置し、一方の端辺を封鎖した該チューブの他端から該チューブ内に送気して該チューブを膨らませて管路内に密着させた後に該チューブ、両端をチューブの内側から配管の端部に密着固定する配管用インナーチューブの設置方法が提案されている（例えば、特許文献６参照）。
【先行技術文献】
【非特許文献】
【００１０】
【非特許文献１】「ポリエチレン技術読本」松浦一雄・三上尚孝編著、株式会社工業調査会２００１年７月１日発行
【特許文献】
【００１１】
【特許文献１】特許第５３９９４７８号公報
【特許文献２】特開２０１０−００６９８８号公報
【特許文献３】特開２０１３−０１１４３７号公報
【特許文献４】特開平１０−２０４６６８号公報
【特許文献５】特開平０５−０９３００１号公報
【特許文献６】特開２０１２−２３２５１２号公報
【発明の概要】
【発明が解決しようとする課題】
【００１２】
重合体ファウリングは、非特許文献１に示されるように、物理的には高速で通過させること、接触面での保護層の形成、滞留発生阻止、化学的には静電気防止剤を添加すること等のよって解消できるように考えられている。
しかし、現実的には、前記特許の重合体ファウリング対策のいずれも不完全で、重合体ファウリングの発生による冷却効率の低下や、重合体ファウリングによる流路の狭隘化すなわち流量の減少が、産業界の大きな障害となったままである。
【００１３】
一方、特許文献４及び５によって提案された技術は、既に内壁に形成された薄膜や樹脂皮膜が運転条件変更等により溶解したり剥離したりして、新しく生成した重合体中に混入する恐れが極めて高く、品質管理上受け入れられない問題を含んでいる。
【００１４】
特許文献６によって提案された技術は、柔軟で巻き状態で保管されたインナーチューブは、円柱筒を束ねた移送装置の各円柱筒、例えば、約１０メートルのものの全長に装着することが極めて困難であり、工業上の実施が実質上不可能であると推定される。
【００１５】
本発明者が確認した重合体ファーリングが発生する実際の例として、重合体移送冷却装置は、直径１７０センチメートルの円形断面に、外直径２５．4ミリメートル、肉厚1．2ミリメートル、長さ１０メートルのＳＵＳ３０４製円筒管の約１５００本を均等ピッチで固定して円柱管束を形成している。
この円柱管束は、全体を耐圧シェル内に取付け、シェル内下部入口から冷媒を圧入することによって、冷媒が円柱管束の間に流入する。冷媒は、各円筒管の周囲を流れて各円筒管内の溶媒と重合物の混合溶液を冷却する。
【００１６】
冷却されることによって過飽和状態となった重合体は、溶媒から析出分離し、一部は管壁に付着成長しファウリングを形成する。その結果、液体固体の混合液は、流路が細った円筒管内を流動するようになり、定圧ポンプの流量が低下し、定常運転ができなくなってしまう。
【００１７】
この重合体移送冷却装置は圧力容器であり、規則により定期点検が義務付けられている。
前述した重合体溶液移送冷却装置は、通常２４時間連続運転される。その場合、約６ヶ月〜１年経過後には、円柱管内壁に析出堆積した重合体ファウリングが累乗的に増加し、重合体生成物溶液の流動を著しく妨げるようになる。その結果、定圧ポンプの吐出量が低下し、定常な運転条件が確保できなくなり、冷却装置の作動を停止して重合体ファウリングの除去をしなければならない。
【００１８】
このような従来技術では避けることができない重合体移送装置の重合体ファーリングの除去作業は、産業上ほとんどの場合、高圧水洗浄で行なわれている。
高圧水洗浄は、往復動ポンプにより加圧した高圧水をノズルから噴射させ、噴射衝撃エネルギーにより堆積した重合体ファーリングを管壁から剥離し、粉砕し、排出・除去する。
【００１９】
該高圧の値は、例えば高圧７ＭＰａ以上３０ＭＰa、超高圧３０ＭＰa以上１００ＭＰa、超超高圧１００ＭＰa以上の２５０ＭＰaでも行われている。公益社団法人日本洗浄技術技能開発協会発行の「産業洗浄（高圧洗浄作業）安全衛生管理指針」によれば、高圧水洗浄は、特定の検定を受けた作業者が行い、監視者を置き、頑丈な足場を作らなければならない。
一つの重合体移送冷却装置の洗浄には、足場設置等から検査終了までに二週間以上を要する場合がある。その上、高圧水洗浄を行っている間は、重合体製造を停止しなければならないのであるから、不稼働損を生じ、産業活動上きわめて影響の大きな障害である。
【００２０】
（発明の目的）
本発明は、従来技術のいずれによっても解決されていない重合体製造ライン等における溶液移送冷却装置の上述した問題点に鑑みてなされたものであって、溶液移送冷却装置内の固形分の堆積を、従来技術に比較して極めて簡易な作業設備によって、少数の現場作業者によって短時間に、しかも高圧水洗浄等の危険作業を行うことなく、ファウリング堆積物を除去することができる溶液移送冷却装置を提供することを目的とする。
【００２１】
本発明はまた、生成された液体固体混合物等の溶液に望ましくない重合物等の管付着物が混入する恐れの少ない溶液移送冷却装置を提供することを目的とする。
【００２２】
本発明はさらに、従来技術の高圧水洗浄によって発生する産業廃棄物の排出量に比較して極めて少ない産業廃棄物の排出量である溶液移送冷却装置を提供することを目的とする。
【課題を解決するための手段】
【００２３】
本発明は、
剛性冷媒外筒の内部に、複数の剛性溶液外筒を互いに平行に配置した溶液移送冷却装置において、
前記剛性溶液外筒の内部に、常温常圧で前記剛性溶液外筒の内径より小さい外径を有し、移送される溶液の温度上昇及び圧力増加の少なくとも一方によって膨張して前記剛性溶液外筒の内面に接し、前記溶液の冷却または圧力低下によって、前記剛性溶液外筒の内周面と薄肉内筒の間に空間ができるように縮径する前記薄肉内筒を配置したことを特徴とする溶液移送冷却装置
である。
【００２４】
本発明は、また、
重合反応装置と、該重合反応装置の重合生成物出口部に連結された冷却流路部（熱交換器）を有する重合体製造装置であって、
前記冷却流路部は、剛性冷媒外筒の内部に、複数の剛性溶液外筒を互いに平行に配置し、前記剛性溶液外筒の内部に、常温常圧で前記剛性溶液外筒の内径より小さい外径を有し、移送される溶液の温度上昇及び圧力増加の少なくとも一方によって膨張して前記剛性溶液外筒の内面に接し、前記溶液の冷却または圧力低下により、前記剛性溶液外筒の内周面と薄内筒の間に空間ができるように縮径する前記薄肉内筒を配置したことを特徴とする重合体製造装置
である。
【発明の効果】
【００２５】
本発明の液体移送冷却装置によれば、液体移送装置内のポリマー等などの固形分の堆積を、従来技術に比較して極めて簡易な作業設備によって、少数作業者によって短時間に且つ安全に除去することができるという効果を得ることができる。
【００２６】
本発明の溶液移送冷却装置によればまた、新しく生成されたポリマー溶液等の被移送冷却流体に、管内面に付着した既存ポリマー等の望ましくない不純物が混入する恐れがないという効果を得ることができる。
【００２７】
本発明の液体移送装置によればさらに、従来の高圧水洗浄技術に比較して産業廃棄物の排出が極めて少ないという効果を得ることができる。
【００２８】
本発明の液体移送装置を好適に実施できるものとして、重合体の製造における重合反応、架橋反応等の化学的操作、脱溶剤、混合等の物理的操作の工程中の溶液移送が挙げられる。また、塗料、接着剤等の重合体を主成分とする組成物の製造等における重合体と他の成分の混合、脱溶剤等の物理的操作の工程中の溶液移送等にも適用できる。
本発明は、例えば、ポリ（メタ）アクリル酸メチル、ポリ（メタ）アクリル酸エチル、ポリ（メタ）アクリル酸ブチル等の（メタ）アクリル酸エステル系重合体、ウレタン系重合体、塩化ビニル系重合体、塩化ビニリデン系重合体、ＳＢＲ、酢酸ビニル系重合体等の重合体、或いはこれらを構成する単量体の共重合体の製造時の溶液移送に適用され、ウレタンエマルジョン、アクリルエマルジョン等のマルジョンにおける溶液移送にも好ましく適用できるものである。
【００２９】
（発明の実施態様）
前記本発明において、前記薄肉内筒が、ＳＵＳ３００系ステンレス鋼、アルミ合金、銅合金等によって製造されていることを特徴とする。
【００３０】
前記本発明において、また、前記薄肉内筒が，その端部を薄肉内筒支持円板にかしめられていることを特徴とする。
【００３１】
前記本発明において、また、前記溶液が、溶剤と重合生成物の混合溶液であることを特徴とする。
【図面の簡単な説明】
【００３２】
【図１】第１実施形態の溶液移送冷却装置の部分的に切り開いた正面図である。
【図２】図１の線II−IIに沿った断面図である。
【図３】図１の点線IIIで示す領域の拡大図である。
【図４】剛性溶液外筒及び薄肉内筒の固着説明図である。
【図５】本発明の原理説明のための説明参考図である。
【発明を実施するための形態】
【００３３】
本発明の実施形態の溶液移送冷却装置を図に基づいて説明する。実施形態の説明における数値は、全て例示である。
【００３４】
本発明の実施形態の溶液移送冷却装置１は、熱交換機能を有し、ポリエチレン中低圧重合法を実施する圧力容器に使用するシェルアンドチューブ型の装置である。シェルアンドチューブ型の熱交換器としては、固定管板式、遊動頭式、Ｕ字管式の３タイプが知られている。溶液移送冷却装置１は、遊動頭式であって、被熱交換流体の高温・高圧による長尺の熱交換チューブの伸縮を遊動頭蓋の移動によって吸収する。
【００３５】
溶液移送冷却装置１は、図１に示すように、胴体すなわちシェル１０内をチューブシート１２によって区切ることによって、被熱交換流体室１４と冷媒室１６を形成している。
被熱交換流体Ｒを収容する被熱交換流体室１４は、シェル１０の端部をシェルカバー２０によって塞いで形成されている。シェル１０の被熱交換流体室１４のある部分において、下側に被熱交換流体入口２２が配置され、上側に被熱交換流体出口２４が形成されている。被熱交換流体室１４は、区切り板４０によって、下側の被熱交換流体室高温部１４ａと下側の被熱交換流体室低温部１４ｂとに分けられている。
被熱交換流体Ｒとして、ノルマヘキサンと重合体の混合体が例示される。
冷却水等の冷媒Ｗを収容する冷媒室１６は、シェル１０の端部を冷媒室蓋３０によって塞がれ、内部に例えば約２０００本の熱交換チューブ３２が互いに平行に配置されている。冷媒室１６内において、チューブシート１２の反対側には、遊動頭蓋３４が配置されている。冷媒室１６には、冷媒Ｗを攪拌するための邪魔板３６が配置されている。
【００３６】
溶液移送冷却装置１の熱交換チューブ３２は、図２に示すように、冷媒を流通させるための鉄製の剛性冷媒外筒１００の内部に、溶媒の中に生成物を含む混合溶液を流通させるためのＳＵＳ３０４製の剛性溶液外筒１０２を互いに平行に配置して構成される。
剛性冷媒外筒１０２の冷媒流通部分の長さは１０メートルであり、図３に示すように、外径が２５．４ミリメートル、肉厚が２．０ミリメートルであり、内径が２１．４ミリメートルである。
【００３７】
剛性溶液外筒１０２は、図１に示すように、図４に示すように、剛性溶液外筒１０２の両端部近傍の内部に固着された剛性溶液外筒支持板１０４に溶接１０６によって固着されている。
【００３８】
剛性溶液外筒１０２のそれぞれの内部には、図３及び図４に示すように、薄肉内筒１１０が配置されている。薄肉内筒１１０は、内径が２１．３０ミリメートルであり、肉厚が０．０４ミリメートルである。薄肉内筒１１０の両端部は、図４に示すように、かしめられて、剛性溶液外筒１０２の端部の上に固着される。
【００３９】
以下に、薄肉内筒１１０が、移送される溶液、例えば反応生成物と溶媒の混合液の温度及び圧力で伸張し、破断することなく剛性溶液外筒１０２の内面に接し、さらに除圧すなわち溶液を除去することにより薄肉内筒１１０が縮径して元の直径に戻ること、及び、移送される溶液すなわち液体固体混合物の温度及び圧力で伸張した時、薄肉内筒１１０が剛性溶液外筒１０２によりバックアップされるすなわち薄肉内筒１１０が剛性溶液外筒１０２によって周囲が支えられることを、演算によって説明する。
【００４０】
薄肉円筒１１０のフープ力すなわち周方向の引っ張り応力σiＮ／ｍ2は、図５に示すように、内径Ｄｍｍ、肉厚ｔｍｍ、長さｌｍｍ、内圧Ｐパスカルとするとき、
σi＝ｐＤｌ／２ｔｌ＝ＰＤ／２ｔ    ・・・・・  （１）
である。例えば、株式会社技術評論社平成２４年５月２５日発行「入門材料力学」（有光隆著）第７０頁第８行の「円周方向に発生する引張り応力」に記載されているとおりである。
ここで、ＳＵＳ３０４の許容引張り応力は、JISG4303によると、４０℃において１９４メガパスカル、７５℃において１８０メガパスカル、１００℃において１７１メガパスカルである。
【００４１】
工業上多く見られるような、被熱交換流体室高温部１４ａの温度が７０℃、１．２０メガパスカルであり、被熱交換流体室低温部１４ｂの温度が５７℃、１．１４メガパスカルであることを考慮し、以下の値により演算する。
剛性溶液外筒１０２の肉厚は、２．０ミリメートルである。剛性溶液外筒１０２の内径は、２１．４０ミリメートルである。薄肉内筒１１０は、外径が２１．３７ミリメートルである。薄肉内筒１１０の肉厚は、０．０４ミリメートルである。薄肉内筒１１０の内圧は、１．２０メガパスカルである。剛性溶液外筒１０２及び薄肉内筒１１０の材料であるＳＵＳ３０４のヤング率は、２００ギガパスカルである。
剛性溶液外筒１０２の内面と薄肉内筒１１０の外面のクリアランスすなわち間隔は、０．０３ミリメートルの半分の０．０１５ミリメートルである。
【００４２】
（薄肉内筒が剛性溶液外筒に密着）
フープ力    σi＝ＰＤ／２ｔ
＝（１．２MPa×２１．３０mm）／（２×０．０４mm）
＝３１９．５（メガパスカル）
フックの法則により
歪みε＝応力σi  ／ヤング率
＝３１９．５MPa／２００GPa
＝０．００１６（０．１６％）
従って、薄肉内筒１１０の外径は、内圧によって
２１．３７ｍｍ×０．００１６＝０．０３４ｍｍ
増加することになる。この値は、内圧によって薄肉内筒１１０が剛性溶液外筒１０２に密着する可能性を示す。
【００４３】
（剛性溶液外筒の薄肉内筒膨張のバックアップ）
剛性溶液外筒１０２に、内圧１．２０メガパスカルが負荷されたと仮定する。
フープ力    σi＝ＰＤ／２ｔ
＝（１．２MPa×２３．４０mm）／（２×２．０mm）
＝７．０２MPa
フックの法則により
歪みε＝応力σi  ／ヤング率
＝７．０２  MPa／２００GPa
＝０．０００
従って、剛性溶液外筒１０２に、内圧１．２０メガパスカルが負荷されたとしても、剛性溶液外筒１０２はほとんど伸張せず、薄肉内筒１１０のバックアップが可能である。
【００４４】
（薄肉内筒の縮径）
「東京都立産業技術研究センター研究報告、第５号、２０１０年」（第７８頁）等に記載された「０．２％耐力」は、ある圧力を負荷して除圧した時の残留歪みが０．２％以内であることを示す。同論文によると、ＳＵＳ３０４の０．２％耐力は、３１４MPaである。すなわち、３１４MPaは、ＳＵＳ３０４においては、降伏値以上の値である。ただし、本実施形態において、剛性溶液外筒１０２と薄肉内筒１１０のクリアランスが０．２％以内であれば、クリープ現象や金属疲労によって残留歪みが発生したとしても０．２％以内に留まる。仮に、剛性溶液外筒１０２と薄肉内筒１１０のクリアランスが０．１％以内であれば、薄肉内筒１１０は、剛性溶液外筒１０２に密着し、剛性溶液外筒１０２にバックアップされ、除圧後回復して原寸に戻る。
【００４５】
次に、本発明の溶液移送冷却装置１の使用方法について説明する。最初に、剛性溶液外筒１０２に薄肉内筒１１０を挿入する。この際、薄肉内筒１１０が例えば５１４グラムと軽いことに加えて、剛性溶液外筒１０２の内面と薄肉内筒１１０の外面との間に空間があることから、例えば１０メートルに及ぶ長いものでも容易に挿入することができる。挿入された薄肉内筒１１０は、そのままでも良いが、好ましくは、かしめ加工等によって薄肉内筒１１０の両端部を剛性溶液外筒１０２の両端部に固着する。
【００４６】
この状態で薄肉内筒１１０内に重合生成物を流入させれば、重合生成物の圧力によって薄肉内筒１１０が伸張して、薄肉内筒１１０の全外周面が剛性溶液外筒１０２の内周面に接する。その結果、薄肉内筒１１０の全外周面が剛性溶液外筒１０２の内周面によって支えられる。さらに、薄肉内筒１１０の全外周面が剛性溶液外筒１０２の内周面に接することにより、薄肉内筒１１０内を移送される重合生成物は、剛性溶液外筒１０２と剛性冷媒外筒１００の間を流動する冷媒によって効率的に冷却することができる。
【００４７】
溶液移送冷却装置１の長期間の連続作動により、薄肉内筒１１０内に重合体ファウリングが形成された場合、溶液移送冷却装置１への重合生成物の流入を止める。これにより薄肉内筒１１０は、常圧に戻り、薄肉内筒１１０が縮小し、元の直径に戻る。この結果、剛性溶液外筒１０２の内周面と薄肉内筒１１０の外周面の間に空間ができ、薄肉内筒１１０を剛性溶液外筒１０２から容易に取り出すことができる。
【００４８】
取り出した薄肉内筒１１０は、工場等作業しやすい場所で重合体ファウリングを除去する。重合体ファウリングを除去された薄肉内筒１１０は、上述した方法によって剛性溶液外筒１０２に入れる。
予備の薄肉内筒１１０を準備して、重合体ファウリングが形成された薄肉内筒１１０を該予備の薄肉内筒１１０に置換することは、重合体ファウリングの高所除去作業を安全に且つ短時間に行うことであり、重合体の生産効率を高めるために極めて有効である。
【産業上の利用可能性】
【００４９】
本発明は、鉱油を地下から取り出すための配管等のように大きな温度変化はなく、圧力のみが変化する場合においても実施でき、その詰まりを効率的に排除することができる。
【符号の説明】
【００５０】
１                溶液移送冷却装置
１００            剛性冷媒外筒
１０２            剛性溶液外筒
１０４            剛性溶液外筒支持板
１０６            溶接
１１０            薄肉内筒
【図１】
0005953619.tif 000002
【図２】
0005953619.tif 000003
【図３】
0005953619.tif 000004
【図４】
0005953619.tif 000005
【図５】
0005953619.tif 000006